(57)【要約】【課題】小径化しても操作部の十分な摺動ストロークを確保することができ、操作性の良好なレンズキャップを提供する【解決手段】キャップ本体と、該キャップ本体とともに略円板状のレンズキャップを構成する一対の操作部とを有し、該一対の操作部は少なくとも一部が径方向に対向しており、前記操作部はそれぞれ径方向に摺動可能に前記キャップ本体に取り付けてあり、前記各操作部と前記キャップ本体との間には、前記各操作部を径方向外方に付勢する付勢部材がそれぞれ一以上設けてあり、前記付勢部材のいずれもが、前記操作部の摺動方向に対して垂直な面であって前記一対の操作部の間の中心を通る仮想平面と交わるように配置する。【選択図】図１
2012203012.tif 000002
【特許請求の範囲】
【請求項１】
キャップ本体と、
該キャップ本体とともに略円板状のレンズキャップを構成する一対の操作部とを有し、
該一対の操作部は少なくとも一部が径方向に対向しており、
前記操作部はそれぞれ径方向に摺動可能に前記キャップ本体に取り付けてあり、
前記各操作部と前記キャップ本体との間には、前記各操作部を径方向外方に付勢する付勢部材がそれぞれ一以上設けてあり、
前記付勢部材のいずれもが、前記操作部の摺動方向に対して垂直な面であって前記一対の操作部の間の中心を通る仮想平面と交わるように配置してあることを特徴とするレンズキャップ。
【請求項２】
前記一対の操作部は、第１操作部と第２操作部とを有し、
前記付勢部材は、第１付勢部材と第２付勢部材とを有し、
前記第１操作部と前記キャップ本体との間に、前記キャップ本体に対して前記第１操作部を径方向外側に付勢する前記第１付勢部材が配置されており、
前記第２操作部と前記キャップ本体との間に、前記キャップ本体に対して前記第２操作部を径方向外側に付勢する前記第２付勢部材が配置されており、
前記第１付勢部材と前記第２付勢部材は、前記摺動方向と略平行に配置されていることを特徴とする請求項１に記載のレンズキャップ。
【請求項３】
前記付勢部材を収容する穴部が前記キャップ本体に形成されていることを特徴とする請求項１又は２の何れか１項に記載のレンズキャップ。
【請求項４】
前記付勢部材はコイルばねであり、
前記コイルばねの内側に配置されて前記コイルばねを前記摺動方向に案内する案内軸が前記操作部と一体に形成されていることを特徴とする請求項１ないし３の何れか１項に記載のレンズキャップ。
【請求項５】
前記付勢部材により付勢された前記操作部の前記キャップ本体に対する位置を所定位置に係止する係止用突起部が前記操作部と一体に形成されおり、
前記操作部の摺動に伴って前記係止用突起部が移動する溝部が、前記キャップ本体に形成されていることを特徴とする請求項１ないし４のいずれか１項に記載のレンズキャップ。
【請求項６】
前記操作部は、前記キャップ本体に取り付けた際に前記キャップ本体に対向する面であって、前記仮想平面と略平行な端面を有し、
前記操作部は、前記摺動方向と平行に延在する操作側案内部を前記端面の両端部近傍からそれぞれ突出するように有し、
前記キャップ本体は、前記操作側案内部を案内するように切り欠いて形成された本体側案内部をそれぞれ有していることを特徴とする請求項１ないし５の何れか１項に記載のレンズキャップ。
【請求項７】
前記一対の操作部は同一の平面視形状を有しており、
前記操作部は、前記キャップ本体に取り付けた際に前記キャップ本体に対向する面であって、前記仮想平面と略平行な端面を有し、
前記操作部は、前記摺動方向と平行に延在する２つの操作側案内部を前記端面から突出するように有しており、
前記２つの操作側案内部は、前記一対の操作部において、前記一対の操作部を前記キャップ本体に取り付けた際に、平面視で前記２つの操作側案内部が互い違いになるように配置されていることを特徴とする請求項１ないし５のいずれか１項に記載のレンズキャップ。
【発明の詳細な説明】
【技術分野】
【０００１】
本願発明は、たとえばスチルカメラ、ビデオカメラ等に用いるレンズのレンズ鏡筒前端部内周の係合部に着脱自在に装着されるレンズキャップに関する。
【背景技術】
【０００２】
従来、カメラの非撮影時にレンズを保護する為にレンズ鏡筒前端部内周の係合部に装着するレンズキャップとして、以下のようなものがある。つまり、円形状のキャップ本体に一対の操作部が設けられており、当該操作部は、レンズ鏡筒前端部内周の係合部に係合するとともに、使用者の操作により、キャップ本体の中心へ向けて摺動して係合を解除するものである。
【０００３】
この操作部はキャップ本体に対して径方向外側へ圧縮ばねにより付勢されている。また、当該圧縮ばねは、各操作部にそれぞれ１つずつ設けられている。これらの圧縮ばねは、キャップ本体に設けたばね受け部を介して、操作部の摺動方向の直線上に配置されている（例えば、特許文献１参照）。
【先行技術文献】
【特許文献】
【０００４】
【特許文献１】登録実用新案第３００７６６８号
【発明の概要】
【発明が解決しようとする課題】
【０００５】
しかしながら従来のレンズキャップは、レンズ鏡筒前端部内周の径が小さいレンズ用に相似形で小径化すると、それに伴って操作部の摺動ストロークが短くなり、操作性が悪くなるという問題があった。このような問題に鑑みて、本発明は、小径化しても十分な摺動ストロークを確保することができ、操作性の良好なレンズキャップを提供することを目的とする。
【課題を解決するための手段】
【０００６】
上記課題を解決するために本発明では、キャップ本体と、該キャップ本体とともに略円板状のレンズキャップを構成する一対の操作部とを有し、該一対の操作部は少なくとも一部が径方向に対向しており、前記操作部はそれぞれ径方向に摺動可能に前記キャップ本体に取り付けてあり、前記各操作部と前記キャップ本体との間には、前記各操作部を径方向外方に付勢する付勢部材がそれぞれ一以上設けてあり、前記付勢部材のいずれもが、前記操作部の摺動方向に対して垂直な面であって前記一対の操作部の間の中心を通る仮想平面と交わるように配置するように配置してあることを特徴とするレンズキャップを提供する。
【発明の効果】
【０００７】
本発明によれば、小径化しても十分な摺動ストロークを確保することができ、操作性の良好なレンズキャップを提供することができる。
【図面の簡単な説明】
【０００８】
【図１】本願の第１実施形態のレンズキャップを示す平面図及び断面図である。（ａ）は第１実施形態のレンズキャップをレンズ鏡筒に取り付けた際にレンズに対向する側の面の平面図であり、一対の操作部をキャップ本体から取り外した状態を示す。（ｂ）は、第１実施形態のレンズキャップをレンズ鏡筒に取り付けた状態でレンズ側から見た場合の平面図を示す。（ｃ）は（ｂ）のＡ−Ａ断面におけるキャップ本体に設けた付勢部材を収容する穴部および第２操作部に設けた付勢部材を案内する案内軸を示す。（ｄ）は（ｂ）のＢ−Ｂ断面におけるキャップ本体並びに第２操作部の操作側案内部及び係止用突起部を示す。
【図２】本願の第１実施形態のレンズキャップを示す平面図及び断面図である。（ａ）は本実施形態に係るレンズキャップのレンズ側の面とは反対側の面の平面図である。（ｂ）は、（ａ）のＣ−Ｃ断面である。
【図３】本願の第２実施形態のレンズキャップを示す平面図及び断面図である。（ａ）はレンズキャップをレンズ鏡筒に取り付けた際にレンズに対向する側の面の平面図であり、左側は操作部を取り外した状態、右側はレンズキャップをレンズ鏡筒前端部に取り付けた状態を示す。（ｂ）は（ａ）のＤ−Ｄ断面であり、取付け部を互いに半ピッチずらしていることを示す。
【発明を実施するための形態】
【０００９】
（第１実施形態）
以下、本発明の第１実施形態について図１を参照しつつ説明する。なお、説明において、レンズキャップをレンズ鏡筒前端部に取り付けた際にレンズに対向する側を「レンズ側」、レンズキャップのレンズ側と反対側を「正面側」、レンズキャップのレンズ側及び正面側の面に直行する方向を「直行軸方向」とする。
【００１０】
図１（ａ）は本発明の第１実施形態であるレンズキャップのレンズ側の面の平面図であり、一対の操作部をキャップ本体から取り外した状態を示している。図１（ａ）〜（ｄ）に示すように、本レンズキャップ１００は、主に合成樹脂等で成形したキャップ本体１と、合成樹脂等で成形した第１操作部２及び第２操作部３で構成している。キャップ本体１には、周辺部で径方向に互いに対向する位置に一対の操作部２、３を取り付ける取り付け部４ａ、４ｂがそれぞれ形成されている。
【００１１】
キャップ本体１と操作部２及び３のそれぞれの間には、操作部２及び３をそれぞれ付勢する、例えばコイルばねである、第１付勢部材５ａ及び第２付勢部材５ｂが設けられる。付勢部材５ａ及び５ｂは、いずれも、平面視において操作部の摺動方向と垂直でレンズキャップ１００の中心点を通る直線と直交し、互いに非直線上にずらして配置している。これにより、本レンズキャップ１００は、第１付勢部材５ａと第２付勢部材５ｂをばね受けを介して直線上に配置する場合と比較して、付勢部材を収容するスペースを、操作部の摺動方向で大幅に短くすることができる。このような構成によれば、付勢部材自体を短くしなくても、上記長さが短くなった分レンズキャップ１００の小径化が可能となるため、十分な長さを持つ付勢部材によって操作部の十分な摺動ストロークを確保することができる。
【００１２】
なお、本実施形態のレンズキャップ１００においては、付勢部材５ａ及び５ｂを平面視において並列するように配置しているが、本願発明の効果を得るためには、直交軸方向に並列するように配置しても良い。また、付勢部材の数は各操作部に１つずつとは限らず、各操作部に設ける付勢部材の数を同数とする必要もなく、レンズキャップ全体として３以上配置することも可能である。さらに、付勢部材は、操作部を付勢することができれば、操作部の摺動方向と平行に配置しなくても良い。加えて、付勢部材５ａ及び５ｂは、操作部を付勢することができるものであれば、コイルばね以外の部材であっても良く、また、それらの組合せであっても良い。
【００１３】
キャップ本体１には、付勢部材５ａ及び５ｂをそれぞれ収容する穴部６ａ、６ｂを形成している。操作部２及び３には、各付勢部材を操作部の摺動方向に案内する案内軸７ａ、７ｂを形成している。付勢部材５ａ、５ｂを収容する穴部６ａ、６ｂを操作部２、３に形成することも考えられるが、キャップ本体１と操作部２、３の嵌合は、キャップ本体１を雌側、操作部を雄側としているため、雄側である操作部に、付勢部材に対して雌側となる穴部（６ａ、６ｂ）を形成すると構造が複雑になる。本実施形態のようにキャップ本体１に穴部６ａ、６ｂを形成することによって、構造を単純化し、レンズキャップを薄型化することができる。また、穴部６ａ、６ｂと同様に、雄側である操作部２、３に、穴部に対して雄側となる案内軸７ａ、７ｂを設けることによって、構造を単純化し、レンズキャップを薄型化することができる。
【００１４】
操作部２及び３には、それぞれ他方の操作部に対向する端面の両端近傍からそれぞれ操作部の摺動方向と平行に他方の操作部側に向けて延在する操作側案内部８ａ、８ｂを形成している。操作部２に形成されている操作側案内部８ａは、操作部３に形成されている操作側案内部８ｂよりも、径方向で外側に配置することにより、操作部８ｂと干渉しないようにしている。操作側案内部８ａ、８ｂにより、操作部が押圧された際に操作部が適切な方向に案内される。
【００１５】
なお、本実施形態においては、操作側案内部を操作部２及び３にそれぞれ２本設けているが、これに限らず、１本又は３本以上とすることも可能である。
【００１６】
操作側案内部８ａ、８ｂの先端には、付勢される操作部の抜け止めのために正面側に向かって突出した係止用突起部９を形成している。
【００１７】
図１（ｄ）に示すように、係止用突起部９は、先端側から操作部本体側にかけて突出を漸次大きくしており、操作部本体側の端面は操作部の摺動方向と垂直な面としている。これにより、後述する組立て方法にあるように、操作側案内部８ａ、８ｂを弾性変形させることを可能としつつ、組立て後は操作部が付勢部材によって付勢された際に所定位置で係止され、抜けにくい構造としている。
【００１８】
キャップ本体１には操作側案内部８ａ、８ｂを受け入れる本体側案内部１０ａ、１０ｂを形成しており、本体側案内部１０ａ、１０ｂにはさらに操作部の摺動に伴って係止用突起部９が移動する溝部１１をそれぞれ形成しており、溝部１１には操作部が径方向外側に付勢されることにより係止用突起部９が当接する係止用当接面１２を設けている。
【００１９】
後述するレンズキャップの組立て方法にあるように、組立ての際に係止用突起部９が組立ての邪魔にならないように係止用突起部９を操作側案内部８ａ、８ｂのような弾性変形しやすい部分に形成する必要があるが、弾性変形しやすい部分として、本願の操作側案内部８のような棒状部分をキャップ本体１のレンズ側に設け、その先端に正面側に向かって突出する係止用突起部９を形成し、係止用突起部９が摺動に伴って移動する溝部１１を操作部２、３に設けることも考えられる。しかし、この場合、操作部のさらにレンズ側に当該棒状部分を設けることとなるため、レンズキャップ１００の厚みが増すこととなり好ましくない。本実施形態においては、弾性変形しやすい操作側案内部８に係止用突起部９を形成し、キャップ本体１に溝部１１を形成することによって、レンズキャップの薄型化を可能としている。
【００２０】
その他、操作部２及び３には、それぞれ円弧形状の端面よりも内径側に段違いの円弧状突起部１３を形成しており、円弧状突起部１３の外径側の面にはレンズ鏡筒前端部内周の係合部に係合するためのねじ部１４ａ、１４ｂを形成している。ねじ部１４ａ、１４ｂは、レンズ鏡筒前端部の内周面に形成したねじ部（不図示）と位相が合うように、第１操作部２のねじ部１４ａと第２操作部３のねじ部１４ｂにおいて互いに半ピッチずらして形成している。これによりレンズキャップをレンズ鏡筒に装着した際の両者のねじ結合をより深く、確実に行うことができる。
【００２１】
第１実施形態に係るレンズキャップの組立ては以下のように行う。操作部２及び３の案内軸７ａ、７ｂにコイルばねである第１付勢部材５ａ、第２付勢部材５ｂをそれぞれセットし、操作部２及び３の操作側案内部８ａ、８ｂを本体側案内部１０ａ、１０ｂにそれぞれ合わせ、ばねの抗力に逆らうようにレンズキャップの中心側に向けて操作部２及び３を押し込む。係止用突起部９が溝部１１の係止用当接面１２を形成する本体部分に接触すると、係止用突起部９は、先端側から操作部本体側に進むにつれて漸次突出が大きくなっているため、操作側案内部８ａ、８ｂをレンズ側に弾性変形させ、さらに押し込むと係止用突起部９が係止用当接面１２を完全に通り越し、操作側案内部８ａ、８ｂが元の形状に戻る。ここで操作部２及び３を押し込む力を解除すると付勢部材５ａ及び５ｂにより操作部２及び３がそれぞれ付勢され、係止用突起部９の垂直面が溝部１１の係止用当接面１２に当接し、組立てが完了する。
【００２２】
本第１実施形態において、一対の操作部２及び３のねじ部１４の直行軸方向のねじ位相は、上述のように互いに半ピッチずらして形成しているが、本実施形態の操作側案内部８ａと８ｂとは、操作部２、３における位置を異ならせているため、ねじ位相が同じである同一種類の操作部を誤ってキャップ本体１へ装着してしまいねじ位相が合わなくなる事態を未然に防止することができる。
【００２３】
また、一対の操作部２及び３の基本形状は同一であるため、射出成形におけるキャビ型、コア型はそれぞれ共通の構成にすることが可能である。一方、ねじ部１４はアンダーカット部のため、スライド型による成形となる。この際、一対の操作部２及び３は、直行軸方向のねじの位相が半ピッチずれていることから、スライド型は共通には出来ないが、両操作部のねじ部１４の形状はほぼ同一のため、成形時におけるヒケ、ウェルド対策は共通して対処可能である。
【００２４】
図１（ｂ）は、第１実施形態のレンズキャップ１００を不図示のレンズ鏡筒に取り付けた状態でレンズ側からレンズキャップ１００を見た場合の平面図を示している。したがって、キャップ本体１に形成した円弧状突起部１３と操作部２及び３に形成した円弧状突起部１３とは、ほぼ同一の円周上に配置されているが、レンズキャップをレンズ鏡筒から取り外すと、操作部２及び３は、付勢部材５ａ及び５ｂに付勢され係止用突起部９が係止用当接面１２に当接するまで径方向外方に突出し、当接したところで係止される。
【００２５】
本第１実施形態において、正面側の面は図２に示す平面を有しており、操作部２及び３のそれぞれには、円弧形状の端面よりも内径側において正面側に向けて突出したつまみ部１５を形成している。つまみ部１５はレンズキャップをレンズ鏡筒に着脱する際に、使用者が操作部を操作するために指でつまむ部分である。円弧形状端面からつまみ部１５までの距離はレンズ鏡筒にレンズフードを取り付けた状態でレンズキャップの着脱を行う際に、指の爪がレンズフードに当たらない程度とする。
【００２６】
また、図２に示しているように、つまみ部１５の径方向外側の面は、正面側からレンズ側に進むにつれて、操作部２、３の摺動方向内側へ傾斜しており、さらにレンズ側に進むと略円弧状にえぐれた形状としている。これにより指がかりが良く、操作し易いものとしている。特にレンズキャップを薄型化することによりつまみ部１５の奥行き（直行軸方向の長さ）を十分に確保できない場合に効果的である。
【００２７】
（第２実施形態）
以下、本発明の第２実施形態を図３に基づき説明する。基本的な構成は上述した第１実施形態と同様であるが、第１実施形態と異なり、第１操作部２３ａと第２操作部２３ｂとは同一形状を有しており、平面視においてレンズキャップの中心点を通る直行軸方向の直線を基準として回転対象に配置したものである。対向する操作側案内部２２ｃ、２２ｄが互いに干渉しないように、キャップ本体２１に取り付けた際に平面視において互い違いになるように配置している。具体的には、操作側案内部２２ｄを、操作側案内部２２ｃよりも中心寄りに配置している。このような構成とすることにより、第１操作部２３ａと第２操作部２３ｂとが平面視において同一形状を有していても、キャップ本体１に取り付けた際に対向する操作側案内部２２ｃ、２２ｄが互いに干渉することがなくなる。
【００２８】
また、本第２実施形態においては、第１操作部２３ａと第２操作部２３ｂとは、円弧状突起部２４ａ、２４ｂの外径側の面に形成したねじ部２５ａ、２５ｂも同一の形状をしている。したがって、直行軸方向で同じ位置に配置すると、レンズキャップの径方向に対向する位置にあるねじ部２５ａ、２５ｂの直線軸方向の位相が半ピッチずれないことから、レンズ鏡筒前端部の内周面に形成したねじ部と位相が合わないこととなる。そこで、第２実施形態においては、図３（ｂ）に示すように、第１操作部２３ａと第２操作部２３ｂを直行軸方向に半ピッチ分ずらして配置するために取り付け部２６ａ、２６ｂを半ピッチ分ずらして構成している。これにより、第１操作部２３ａと第２操作部２３ｂに使用する操作部は完全に同一形状のものを作成すれば良いこととなるためコストダウンになる。
【００２９】
以上のように、本願発明によれば、小径化しても十分な摺動ストロークを確保することができ、操作性の良好なレンズキャップを提供することができる。
【符号の説明】
【００３０】
１      キャップ本体
２      第１操作部
３      第２操作部
４ａ    取り付け部（第１操作部側）
４ｂ    取り付け部（第２操作部側）
５ａ    第１付勢部材
５ｂ    第２付勢部材  
６ａ    穴部（第１操作部側）
６ｂ    穴部（第２操作部側）
７ａ    案内軸（第１操作部側）
７ｂ    案内軸（第２操作部側）
８ａ    操作側案内部（第１操作部）
８ｂ    操作側案内部（第２操作部）
９      係止用突起部
１０ａ  本体側案内部（第１操作部側）
１０ｂ  本体側案内部（第２操作部側）
１１    溝部
１２    係止用当接面
１３    円弧状突起部
１４ａ  ねじ部（第１操作部）
１４ｂ  ねじ部（第２操作部）
１５    つまみ部
２１    キャップ本体
２２ｃ  操作側案内部（中心から遠い方）
２２ｄ  操作側案内部（中心に近い方）
２３ａ  第１操作部
２３ｂ  第２操作部
２４ａ  円弧状突起部（第１操作部）
２４ｂ  円弧状突起部（第２操作部）
２５ａ  ねじ部（第１操作部）
２５ｂ  ねじ部（第２操作部）
２６ａ  取り付け部（第１操作部側）
２６ｂ  取り付け部（第２操作部側）
１００  第１実施形態のレンズキャップ
２００  第２実施形態のレンズキャップ
【図１】
2012203012.tif 000003
【図２】
2012203012.tif 000004
【図３】
2012203012.tif 000005